【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１以上のレンズ群を有する後群より構成されたズームレンズであって、
広角端から望遠端へのズーミングに際して前記第１レンズ群は像側に凸状の軌跡で移動し、前記第２レンズ群は像側へ移動し、ズーミングに際して前記第３レンズ群は不動であり、
前記第３レンズ群の焦点距離をｆ３、広角端における全系の焦点距離をｆｗ、広角端におけるＦナンバーをＦｎｏｗとするとき、
４．２＜ｆ３／（Ｆｎｏｗ×ｆｗ）＜８．０
なる条件式を満足することを特徴とするズームレンズ。
【請求項２】
広角端から望遠端へのズーミングに際して前記第１レンズ群が最も像側に位置するときの前記第１レンズ群の位置と、広角端における前記第１レンズ群の位置との差をｓｔ１ｉｍｇとするとき、
０．８＜ｓｔ１ｉｍｇ／ｆｗ＜３．０
なる条件式を満足することを特徴とする請求項１に記載のズームレンズ。
【請求項３】
広角端から望遠端へのズーミングに際して前記第１レンズ群が最も物体側に位置するときの前記第１レンズ群の位置と、広角端における前記第１レンズ群の位置との差をｓｔ１ｏｂｊとするとき、
０．０＜ｓｔ１ｏｂｊ／ｆｗ＜１．０
なる条件式を満足することを特徴とする請求項１又は２に記載のズームレンズ。
【請求項４】
広角端から望遠端へのズーミングに際して前記第１レンズ群が最も像側に位置するときにおける全系の焦点距離をｆｍ、望遠端における全系の焦点距離をｆｔとするとき、
０．０１＜ｆｍ／ｆｔ＜０．１０
なる条件式を満足することを特徴とする請求項１乃至３のいずれか１項に記載のズームレンズ。
【請求項５】
前記第１レンズ群の焦点距離をｆ１とするとき、
９．０＜ｆ１／ｆｗ＜１４．５
なる条件式を満足することを特徴とする請求項１乃至４のいずれか１項に記載のズームレンズ。
【請求項６】
広角端における前記第２レンズ群の横倍率をβ２ｗとするとき、
−０．２３＜β２ｗ＜−０．１５
なる条件式を満足することを特徴とする請求項１乃至５のいずれか１項に記載のズームレンズ。
【請求項７】
像ぶれ補正に際して、前記第３レンズ群の全体又は一部は光軸に対して垂直方向の成分を持つように移動することを特徴とする請求項１乃至６のいずれか１項に記載のズームレンズ。
【請求項８】
広角端における有効像円径が望遠端における有効像円径よりも小さいことを特徴とする請求項１乃至７のいずれか１項に記載のズームレンズ。
【請求項９】
ズーミングに際して、前記後群の中で最も像側に配置されたレンズ群は物体側に凸状の軌跡で移動することを特徴とする請求項１乃至８のいずれか１項に記載のズームレンズ。
【請求項１０】
前記後群は、正の屈折力の第４レンズ群より構成されることを特徴とする請求項１乃至９のいずれか１項に記載のズームレンズ。
【請求項１１】
前記後群は、物体側から像側へ順に配置された、負の屈折力の第４レンズ群、正の屈折力の第５レンズ群より構成されることを特徴とする請求項１乃至９のいずれか１項に記載のズームレンズ。
【請求項１２】
前記後群は、物体側から像側へ順に配置された、正の屈折力の第４レンズ群、正の屈折力の第５レンズ群より構成されることを特徴とする請求項１乃至９のいずれか１項に記載のズームレンズ。
【請求項１３】
請求項１乃至１２のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側より像側へ順に配置された、正の屈折力の第１レンズ群、負の屈折力の第２レンズ群、正の屈折力の第３レンズ群、１以上のレンズ群を有する後群より構成されたズームレンズであって、
広角端から望遠端へのズーミングに際して前記第１レンズ群は像側に凸状の軌跡で移動し、前記第２レンズ群は像側へ移動し、ズーミングに際して前記第３レンズ群は不動であり、
前記第３レンズ群の焦点距離をｆ３、広角端における全系の焦点距離をｆｗ、広角端におけるＦナンバーをＦｎｏｗとするとき、
４．２＜ｆ３／（Ｆｎｏｗ×ｆｗ）＜８．０
なる条件式を満足することを特徴としている。
【手続補正３】
【補正対象書類名】明細書
【補正対象項目名】００１２
【補正方法】変更
【補正の内容】
【００１２】
以下に本発明の好ましい実施の形態を、添付の図面に基づいて詳細に説明する。本発明のズームレンズは、物体側から像側へ順に配置された、正の屈折力（光学的パワー＝焦点距離の逆数）の第１レンズ群、負の屈折力の第２レンズ群、開口絞り、正の屈折力の第３レンズ群、１以上のレンズ群を含む後群より構成されている。ズーミングに際しては隣り合うレンズ群の間隔が変化するようにレンズ群が移動する。
【手続補正４】
【補正対象書類名】明細書
【補正対象項目名】００２４
【補正方法】変更
【補正の内容】
【００２４】
実施例1乃至５において、Ｌ１は正の屈折力の第１レンズ群、Ｌ２は負の屈折力の第２レンズ群、Ｌ３は正の屈折力の第３レンズ群である。後群ＬＲは正の屈折力の第４レンズ群Ｌ４より構成されている。開口絞りＳＰは第３レンズ群Ｌ３の物体側に位置している。広角端から望遠端へのズーミングに際して、第１レンズ群Ｌ１は像側へ移動した後に物体側へ移動する。即ち、第１レンズ群Ｌ１が像側へ凸状の軌跡で移動する。第２レンズ群Ｌ２は像側に移動する。ズーミングに際して第３レンズ群Ｌ３は不動であるが、収差補正上必要に応じて移動させても良い。第４レンズ群Ｌ４は物体側に凸状の軌跡で移動している。
【手続補正５】
【補正対象書類名】明細書
【補正対象項目名】００２６
【補正方法】変更
【補正の内容】
【００２６】
実施例６において、Ｌ１は正の屈折力を有する第１レンズ群、Ｌ２は負の屈折力を有する第２レンズ群、Ｌ３は正の屈折力を有する第３レンズ群である。後群ＬＲは物体側から像側へ順に配置された負の屈折力の第４レンズ群Ｌ４、正の屈折力の第５レンズ群Ｌ５より構成されている。実施例７において、Ｌ１は正の屈折力を有する第１レンズ群、Ｌ２は負の屈折力を有する第２レンズ群、Ｌ３は正の屈折力を有する第３レンズ群である。後群ＬＲは物体側から像側へ順に配置された正の屈折力の第４レンズ群Ｌ４、正の屈折力の第５レンズ群Ｌ５より構成されている。
【手続補正６】
【補正対象書類名】明細書
【補正対象項目名】００２９
【補正方法】変更
【補正の内容】
【００２９】
また望遠端において、無限遠物体から近距離物体へフォーカシングを行う場合には、矢印５ｃに示す如く第５レンズ群Ｌ５を前方に繰出すことで行っている。実施例１乃至７において像ぶれ補正を第３レンズ群Ｌ３の全体又は一部を光軸に対して垂直方向の成分を持つ方向へ移動させて行っても良い。尚、実施例１乃至７において第１レンズ群Ｌ１はフォーカスの為には光軸方向に不動であるが、収差補正上必要に応じて移動させてもよい。
【手続補正７】
【補正対象書類名】明細書
【補正対象項目名】００４１
【補正方法】変更
【補正の内容】
【００４１】
より更に好ましくは、条件式（１ａ）の数値範囲を次の如く設定するのが良い。
４．６＜ｆ３／（Ｆｎｏｗ×ｆｗ）＜７．５    ・・・（１ｂ）
各実施例において更に好ましくは次の条件式のうち１以上を満足するのが良い。広角端から望遠端へのズーミングに際して、第１レンズ群Ｌ１が最も像側に位置するときの第１レンズ群Ｌ１の位置と、広角端における第１レンズ群Ｌ１との差をｓｔ１ｉｍｇとする。広角端から望遠端へのズーミングに際して、第１レンズ群Ｌ１が最も物体側に位置するときの第１レンズ群Ｌ１の位置と、広角端における第１レンズ群Ｌ１との差をｓｔ１ｏｂｊとする。ここで差ｓｔ１ｏｂｊの符号はいずれも正とする。
【手続補正８】
【補正対象書類名】明細書
【補正対象項目名】００４２
【補正方法】変更
【補正の内容】
【００４２】
広角端から望遠端へのズーミングに際して、第１レンズ群Ｌ１が最も像側に位置するときにおける全系の焦点距離をｆｍとする。望遠端における全系の焦点距離をｆｔとする。第１レンズ群Ｌ１の焦点距離をｆ１とする。広角端における第２レンズ群Ｌ２の横倍率をβ２ｗとする。このとき次の条件式のうち１以上を満足するのが良い。